(57)【要約】【課題】点状光源からの光を輝度のより均一な面状の光として出射可能な面光源装置、面状光生成板及び透過型画像表示装置を提供する。【解決手段】面光源装置１０は、複数の点状光源１２と、複数の点状光源からの光を導光して出射する面状光生成板１４と、を備える。この面状光生成板１４は、複数の点状光源１２側に位置する裏面１８ｂと、裏面と反対側に位置しており光が出射される表面１８ａとを有する板本体１８と、裏面に設けられ板本体内を伝搬する光の一部を表面側に反射する反射部２４とを有する。そして、裏面１８ｂには、複数の点状光源１２に対応する複数の凹部２２であって、対応する点状光源からの光が入射される、複数の凹部が形成されている。この構成では、板本体１８内を伝搬する光は、反射部で拡散されて表面側から出射されるので、面光源装置１０は、点状光源１２の光を面状の光であって面内の輝度がより略均一な光を出射することができる。【選択図】図１
2012004038.tif 000002
【特許請求の範囲】
【請求項１】
複数の点状光源と、
複数の前記点状光源からの光を面状の光として出射する面状光生成板と、
を備え、
前記面状光生成板は、
複数の前記点状光源側に位置する裏面と、前記裏面と反対側に位置しており光が出射される表面とを有する板本体と、
前記裏面に設けられ前記板本体内を伝搬する光の少なくとも一部を前記表面側に反射する反射部と、
を有し、
前記裏面には、複数の前記点状光源に対応する複数の凹部であって、対応する前記点状光源からの光が入射される、複数の凹部が形成されている、
面光源装置。
【請求項２】
前記反射部は、光の少なくとも一部を反射する複数の第１反射ドットを有する、請求項１記載の面光源装置。
【請求項３】
前記面状光生成板は、前記板本体の前記表面上に積層され、前記表面から出射される光を拡散する光拡散層を更に備える、
請求項１又は２記載の面光源装置。
【請求項４】
前記面状光生成板は、前記板本体の前記表面から出射される光量を調整する光量調整部を更に備える、
請求項１〜３の何れか一項に記載の面光源装置。
【請求項５】
前記光量調整部は、光の少なくとも一部を反射する複数の第２反射ドットを有する、請求項４記載の面光源装置。
【請求項６】
光が出射される表面と、前記表面と反対側に位置する裏面とを有する板本体と、
前記裏面に設けられ前記板本体内を伝搬する光の少なくとも一部を前記表面側に反射する反射部と、
を有し、
前記裏面には複数の凹部が形成されている、
面状光生成板。
【請求項７】
前記反射部は、光の少なくとも一部を反射する複数の第１反射ドットを有する、請求項６記載の面状光生成板。
【請求項８】
前記面状光生成板は、前記板本体の前記表面上に積層され、前記表面から出射される光を拡散する光拡散層を更に備える、
請求項６又は７記載の面状光生成板。
【請求項９】
前記面状光生成板は、前記板本体の前記表面から出射される光の光量を調整する光量調整部を更に備える、
請求項６〜８の何れか一項に記載の面状光生成板。
【請求項１０】
前記光量調整部は、光の少なくとも一部を反射する複数の第２反射ドットを有する、請求項９記載の面状光生成板。
【請求項１１】
複数の点状光源と、
複数の前記点状光源からの光を面状の光として出射する面状光生成板と、
前記面状光生成板上に設けられており、前記面状光生成板から出射される面状の光で照明される透過型画像表示部と、
を備え、
前記面状光生成板は、
複数の前記点状光源側に位置する裏面と、前記裏面と反対側に位置しており光が出射される表面とを有する板本体と、
前記裏面に設けられ前記板本体内を伝搬する光の少なくとも一部を前記表面側に反射する反射部と、
を有し、
前記裏面には、複数の前記点状光源に対応する複数の凹部であって、対応する前記点状光源からの光が入射される、複数の凹部が形成されている、
透過型画像表示装置。
【請求項１２】
前記板本体の前記表面上に積層され、前記表面から出射される光を拡散する光拡散層を更に備える、
請求項１１記載の透過型画像表示装置。
【発明の詳細な説明】
【技術分野】
【０００１】
本発明は、面光源装置、面状光生成板及び透過型画像表示装置に関するものである。
【背景技術】
【０００２】
液晶表示装置などの透過型画像表示装置が有するバックライトユニット（面光源装置）として、発光ダイオードといった点状光源を採用したものがある。このようなバックライトユニットの一例は、特許文献１記載のものがある。特許文献１に記載のバックライトユニットは、複数の導光板と、複数の点状光源とを備える。各導光板は、側面及び出射面を有し、複数の導光板は、互いに側面が対向した状態で配列されており、点状光源は、複数の導光板内に同時に光を入光させるように、導光板各々の側面に配置されている。特許文献１に記載の技術では、各点状光源からの光は対応する導光板の側面から入射され出射面から出射されるので、複数の点状光源からの光を面状の光として出射可能となっている。
【先行技術文献】
【特許文献】
【０００３】
【特許文献１】特開２００９−２７２２５１号公報
【発明の概要】
【発明が解決しようとする課題】
【０００４】
上記のように、特許文献１に記載の技術では、点状光源上に複数の導光板を配置した構成で、点状光源からの光を面状の光として出射可能であるが、例えば透過型画像表示装置のバックライトユニットとして用いられる面光源装置では、出射される光の輝度の均一性が望まれている。
【０００５】
そこで、本発明は、点状光源からの光を輝度がより均一な面状の光として出射可能な面光源装置、面状光生成板及び透過型画像表示装置を提供することを目的とする。
【課題を解決するための手段】
【０００６】
本発明に係る面光源装置は、複数の点状光源と、複数の点状光源からの光を面状の光として出射する面状光生成板と、を備え、面状光生成板は、複数の点状光源側に位置する裏面と、裏面と反対側に位置しており光が出射される表面とを有する板本体と、裏面に設けられ板本体内を伝搬する光の少なくとも一部を表面側に反射する反射部と、を有し、裏面には、複数の点状光源に対応する複数の凹部であって、対応する点状光源からの光が入射される、複数の凹部が形成されている。
【０００７】
この構成では、点状光源からの光は凹部を通して板本体に入射されるので、裏面に凹部が形成されていない場合より、点状光源からの光を分散して入射させることが可能である。更に、裏面側に反射部が設けられているので、裏面側で全反射条件とは異なる反射で板本体内を伝搬する光を反射する。このようにして反射した光は、板本体の表面側から出射されることから、反射部により、光を拡散させて出射できるようになっている。よって、上記構成では、板本体の表面全体から光を、輝度がより略均一な面状の光として出射可能である。
【０００８】
本発明に係る面光源装置では、反射部は、光の少なくとも一部を反射する複数の第１反射ドットを有する、ことが好適である。この場合、第１反射ドットの配置状態によって、輝度の均一化を容易に図ることが可能である。
【０００９】
本発明に係る面光源装置では、上記面状光生成板は、板本体の表面上に積層され、表面から出射される光を拡散する光拡散層を更に備える、ことが好適である。板本体の表面から出射された光は光拡散層で拡散された後、出射されるので、面状の光の輝度を更に均一にすることが可能である。
【００１０】
本発明に係る面光源装置では、面状光生成板は、板本体の表面から出射される光量を調整する光量調整部を更に備える、ことが好ましい。この構成では、光量調整部により、表面から出射される光量を調整することで、輝度の均一化を更に図ることができる。
【００１１】
本発明に係る面光源装置では、上記光量調整部は、光の少なくとも一部を反射する複数の第２反射ドットを有する、ことが好適である。この場合、第２反射ドットの配置状態によって、輝度の均一化を容易に図ることが可能である。
【００１２】
本発明に係る面状光生成板は、光が出射される表面と、表面と反対側に位置する裏面とを有する板本体と、裏面に設けられ板本体内を伝搬する光の少なくとも一部を表面側に反射する反射部と、を有し、裏面には複数の凹部が形成されている。
【００１３】
この構成では、各凹部に対応して配置された複数の点状光源上に面状光生成板を配置すると、各点状光源からの光は凹部を通して板本体に入射される。よって、面状光生成板では、裏面に凹部が形成されていない場合より、点状光源からの光を分散して入射させることが可能となっている。更に、裏面側に反射部が設けられているので、裏面側で全反射条件とは異なる反射で板本体内を伝搬する光を反射する。このようにして反射した光は、板本体の表面側から出射されることから、反射部により、光を拡散させて出射できるようになっている。よって、上記構成の面状光生成板は、複数の点状光源からの光を、輝度がより略均一な面状の光として出射可能である。
【００１４】
本発明に係る面状光生成板では、反射部は、光の少なくとも一部を反射する複数の第１反射ドットを有する、ことが好ましい。この場合、第１反射ドットの配置状態によって、輝度の均一化を容易に図ることが可能である。
【００１５】
本発明に係る面状光生成板は、板本体の表面上に積層され、表面から出射される光を拡散する光拡散層を更に備える、ことが好適である。この構成では、板本体の表面から出射された光は、光拡散層で拡散されるので、輝度の均一化を更に図ることができる。
【００１６】
本発明に係る面状光生成板は、板本体の表面から出射される光の光量を調整する光量調整部を更に備える、ことが好ましい。この構成では、光量調整部により、表面から出射される光の光量を調整することで、輝度の均一化を更に図ることができる。
【００１７】
本発明に係る面状光生成板では、上記光量調整部は、光の少なくとも一部を反射する複数の第２反射ドットを有する、ことが好適である。この場合、第２反射ドットの配置状態によって、輝度の均一化を容易に図ることが可能である。
【００１８】
本発明に係る透過型画像表示装置は、複数の点状光源と、複数の点状光源からの光を面状の光として出射する面状光生成板と、面状光生成板上に設けられており、面状光生成板から出射される面状の光で照明される透過型画像表示部と、を備え、面状光生成板は、複数の点状光源側に位置する裏面と、裏面と反対側に位置しており光が出射される表面とを有する板本体と、裏面に設けられ板本体内を伝搬する光の少なくとも一部を表面側に反射する反射部と、を有し、裏面には、複数の点状光源に対応する複数の凹部であって、対応する点状光源からの光が入射される、複数の凹部が形成されている。
【００１９】
この構成では、点状光源からの光は凹部を通して板本体に入射されるので、裏面に凹部が形成されていない場合より、点状光源からの光を分散して入射させることが可能である。更に、裏面側に反射部が設けられているので、裏面側で全反射とは異なる反射条件で板本体内を伝搬する光を反射する。このようにして反射した光は、板本体の表面側から出射されることから、反射部により、光を拡散させて出射できるようになっている。よって、上記構成では、板本体の表面全体から、輝度がより略均一な面状の光として出射可能であり、その面状の光で透過型画像表示部を照明することになる。その結果、輝度ムラの低減された良質な画像を表示可能である。
【００２０】
本発明に係る透過型画像表示装置では、板本体の表面上に積層され、表面から出射される光を拡散する光拡散層を更に備える、ことが好ましい。この構成では、板本体の表面から出射された光は、光拡散層で拡散されるので、輝度の均一化を更に図ることができる。
【発明の効果】
【００２１】
本発明によれば、点状光源からの光を輝度がより均一な面状の光として出射可能な面光源装置、面状光生成板及び透過型画像表示装置を提供することができる。
【図面の簡単な説明】
【００２２】
【図１】本発明に係る面光源装置の一実施形態の断面構成を模式的に示す図面である。
【図２】複数の凹部の配置パターンを示す図面である。
【図３】図１に示した面光源装置を用いた透過型画像表示装置の一例の概略構成を示す斜視図である。
【図４】本発明に係る面光源装置の他の実施形態の断面構成を模式的に示す図面である。
【図５】複数の凹部の配置パターンの他の例を示す図面である。
【発明を実施するための形態】
【００２３】
以下、図面を参照して本発明の実施形態について説明する。図面の説明においては同一要素には同一符号を付し、重複する説明を省略する。また、図面の寸法比率は、説明のものと必ずしも一致していない。
【００２４】
図１は、本発明に係る面光源装置の一実施形態の断面構成を模式的に示す図面である。面光源装置１０は複数の点状光源１２と面状光生成板１４とを有する。面光源装置１０は、液晶テレビ等の透過型画像表示装置のバックライトに適用することができるバックライトユニットである。以下の説明では、図１に示すように、面状光生成板１４の板厚方向をｚ方向と称し、ｚ方向に直交する２方向であって互いに直交する２方向をｘ方向及びｙ方向と称す。
【００２５】
点状光源１２の例は、発光ダイオードである。複数の点状光源１２は、反射シート１６上に離散的に配置されている。
【００２６】
面状光生成板１４は、板本体１８と、板本体１８の表面１８ａ上に積層された光拡散層２０とを含む。面状光生成板１４は、図１において面状光生成板１４の背面側に配置された点状光源１２からの光を面状の光（面状光）として出射する面発光板である。面状光生成板１４の厚さの例は２ｍｍ以上３０ｍｍ以下である。
【００２７】
板本体１８の表面１８ａ側からみた形状の例は長方形又は正方形である。板本体１８の厚さの例は１ｍｍ〜１０ｍｍである。板本体１８は、透明材料から構成される。透明材料の屈折率の例は、１．４〜１．６５である。透明材料の例は透明樹脂である。また、透明樹脂の例は、アクリル樹脂（屈折率：１．４９）、ポリカーボネート樹脂（屈折率：１．５９）、ＭＳ樹脂（メタクリル酸メチル−スチレン共重合体樹脂）（屈折率：１．５６〜１．５９）、ポリスチレン樹脂（屈折率：１．５９）等である。板本体１８は通常、添加剤として光拡散剤を添加することなく用いられるが、本発明の目的を損なわない僅かな量であれば、光拡散剤を添加して用いてもよい。
【００２８】
板本体１８の裏面１８ｂには、複数の凹部２２が形成されている。各凹部２２は略円柱状の穴部である。すなわち、裏面１８ｂに直交する断面において凹部２２の形状は略矩形状であり、ｚ方向に直交する凹部２２の断面形状は円形である。凹部２２のアスペクト比（すなわち、凹部２２の直径／凹部２２の深さ）は０．５以上が好ましい。各凹部２２は、点状光源１２上に点状光源１２からの光を凹部２２の内面で受けられるように配置されている。よって、各凹部２２は、対応する点状光源１２から出力された光が板本体１８に入射される入射部として機能する。
【００２９】
板本体１８の裏面１８ｂ上には、板本体１８内を伝搬する光を、表面１８ａ側に反射する層状の反射部２４が設けられている。反射部２４は、光を一部透過しながら反射する半透過半反射の反射ドット（第１反射ドット）２４ａを複数有する。
【００３０】
複数の反射ドット２４ａは、所定のドットパターンで配置されている。反射ドット２４ａのドットパターンは、面状光生成板１４から出射される面状の光においてｚ方向に直交する面内の輝度が略均一になるように調整されている。上記所定のドットパターンとしては、裏面１８ｂにおいて隣接する点状光源１２間の中央部上の領域で反射ドット２４ａが密である密度分布を有するものが例示できる。反射ドット２４ａの例は、白インクである。なお、複数の反射ドット２４ａによる光の反射で板本体１８に入射した光が拡散されることになるので、面状光生成板１４は拡散板として機能することになる。
【００３１】
板本体１８の表面１８ａ上に積層された光拡散層２０は、板本体１８の表面１８ａから出射された光を拡散するためのものである。光拡散層２０の厚さの例は、３０μｍ〜５ｍｍである。光拡散層２０は、透明材料で構成される基材２０Ａに光拡散剤２０Ｂが分散されたものである。透明材料の屈折率の例は、１．４〜１．６５である。光拡散層２０を構成する透明材料は板本体１８の材料と同じものでもよいが、異なっていてもよい。光拡散剤２０Ｂの材料は、基材２０Ａの材料と屈折率の異なるものであり、光拡散剤２０Ｂとしては、例えばスチレン樹脂粒子、メタクリル樹脂粒子などの有機粒子、炭酸カリウム粒子、シリカ粒子、シリコーン樹脂粒子などの無機粒子が用いられ、その粒子径は通常０．８μｍ〜５０μｍである。
【００３２】
図２は、板本体１８の裏面１８ｂに形成された凹部２２の配置パターンの一例を示す図面である。図２に示すように、複数の凹部２２は、ｘ方向に等間隔Ｌｘ及びｙ方向に等間隔Ｌｙで配置することができる。図２では、一例として、ｘ方向の間隔Ｌｘがｙ方向の間隔Ｌｙより大きいとしているが、間隔Ｌｙの方が間隔Ｌｘより大きくてもよいし、間隔Ｌｘ及び間隔Ｌｙが同じでもよい。間隔Ｌｘ及び間隔Ｌｙは、凹部２２の中心軸線間の距離とすることができ、通常１０ｍｍ〜１００ｍｍである。凹部２２の配置と、点状光源１２の配置とは対応しているため、凹部２２が図２に示す格子状に配置されている場合、点状光源１２も同様の格子状に配置されている。
【００３３】
上記面状光生成板１４は、板本体１８に光拡散層２０を積層した積層体に対して、反射部２４となる反射ドット２４ａを、スクリーン印刷、インクジェット印刷などで塗布して製造することができる。板本体１８は、例えば射出成形法、押出成型法、プレス成形法などの方法により製造することができる。
【００３４】
上記構成の面光源装置１０では、複数の点状光源１２の各々から出力された光は、板本体１８の対応する凹部２２から板本体１８内に入射する。板本体１８内に入射した光は、板本体１８内を伝搬して光拡散層２０に入射する。光拡散層２０に入射した光は、光拡散層２０で光拡散剤２０Ｂにより拡散された後、光拡散層２０の表面２０ａから出射される。このように、点状光源１２から出力された光が、面状光生成板１４内を伝搬して出射されるので、面光源装置１０は、複数の点状光源１２からの光を面状の光として出射することができる。
【００３５】
面状光生成板１４内を伝搬する光が反射ドット２４ａによって反射される場合、全反射条件以外の条件で表面１８ａ側に反射することになるので、複数の反射ドット２４ａの各々による反射光は、光拡散層２０を介して面状光生成板１４から出射される。また、複数の反射ドット２４ａの反射によって、光が拡散される。従って、反射ドット２４ａのドットパターンを調整することで、面状光生成板１４から出射される光の輝度の均一性を調整することが可能である。そして、上記構成では、反射ドット２４ａのドットパターンが出射光の輝度が略均一になるように調整されているので、点状光源１２上に面状光生成板１４を配置したとしても、ｚ方向に直交する面内の輝度分布が略均斉な面状の光を出射することができる。
【００３６】
また、反射部２４を透過した光は、反射シート１６で反射した後、板本体１８内に再び入射されるので、点状光源１２から出力された光を有効に利用可能である。
【００３７】
更に、点状光源１２の光は凹部２２の内面を介して板本体１８に入射されるので、例えば、凹部２２が形成されておらず平らな平面に入射する場合より、光が分散すると共に、隣接する点状光源１２，１２の間に光が伝搬する。そのため、隣接する点状光源１２，１２の間の領域上から光が出射しやすくなっている。更に、板本体１８上に光拡散層２０が設けられており、表面１８ａから出射された光を更に拡散して面状光生成板１４から出射する。光拡散層２０による光拡散により、表面２０ａ上の各位置における出射光角度分布が揃い易い。そのため、面光源装置１０は、ｚ方向に直交する面内の輝度分布がより略均斉な面状の光を出射することができる。そして、面光源装置１０では、凹部２２の内面形状及び光拡散層２０での拡散状態の少なくとも一つを調整することによっても、輝度の均一性を更に向上させることが可能である。光拡散層２０での拡散状態は、光拡散剤２０Ｂの屈折率や濃度で調整することができる。
【００３８】
また、板本体１８に凹部２２を介して光を入射する際の凹部２２のレンズ効果により、上述したように、凹部２２から離れた場所に光を伝搬させることが可能であることから、面光源装置１０では、薄型化や光源数の削減を図ることが可能である。更に、複数の点状光源１２を面状光生成板１４の裏面１８ｂ側に配置しているので、ローカルディミング（エリア制御）が可能である。
【００３９】
輝度をより均一にする観点から、図１に示すように、光拡散層２０の表面２０ａ上に、光拡散層２０内で拡散された光の出射光量を調整する層状の光量調整部２６を設けることが好ましい。光量調整部２６は、反射部２４と同様に、半透過半反射の反射ドット（第２反射ドット）２６ａを所定のドットパターンで配置して構成することができる。この場合、反射ドット２６ａの密な領域は、表面２０ａから出射される光量が小さくなる。従って、光量調整部２６が有する複数の反射ドット２６ａのドットパターンを調整することで、面状光生成板１４から出射される面状の光の輝度分布の均斉度を更に向上することが可能である。反射ドット２６ａのドットパターンとしては、点状光源１２の直上の領域で反射ドット２６ａが密である密度分布を有するものが例示できる。このようなドットパターンでは、点状光源１２の直上の領域での光量を抑制できるからである。反射ドット２６ａの例は、反射ドット２４ａの場合と同様に白インクであるが、反射ドット２４ａよりも透過率が小さく反射がより大きいものが好ましい。
【００４０】
このように、面光源装置１０では、点状光源１２から出力された光を面状の光として出射するため、液晶テレビに例示される透過型画像表示装置２８のバックライトとして好適に使用することができる。
【００４１】
次に、図１に示した面光源装置１０を適用した透過型画像表示装置２８の構成の一例について説明する。図３は、図１に示した面光源装置１０を含む透過型画像表示装置２８の概略構成を示す斜視図である。図３では、透過型画像表示装置２８を分解して主要な構成要素を示している。また、図３では、面状光生成板１４を一部切り欠いて示していると共に、層状の反射部２４及び光量調整部２６を模式的に示している。
【００４２】
図３に示すように、透過型画像表示装置２８は、面光源装置１０と、面光源装置１０上に設けられた透過型画像表示部３０とを含む。透過型画像表示部３０としては、例えば液晶セル３０Ａの両面に直線偏光板３０Ｂ，３０Ｃが配置された液晶表示パネルが挙げられる。この場合、透過型画像表示装置２８は液晶表示装置（又は液晶テレビ）である。液晶セル３０Ａ、偏光板３０Ｂ，３０Ｃは、従来の液晶表示装置等の透過型画像表示装置２８で用いられているものを用いることができる。液晶セル３０ＡとしてはＴＦＴ型、ＳＴＮ型等の公知の液晶セルが例示される。
【００４３】
透過型画像表示装置２８は、面光源装置１０を備えているので、ｚ方向に直交する面内において輝度の均一化が図られた面状の光が、透過型画像表示部３０を照明する。その結果、透過型画像表示装置２８は、輝度ムラの抑制された良質な画像を透過型画像表示部３０で表示できる。また、面光源装置１０においてローカルディミング（エリア制御）が可能であるので、画像のコントラストの向上を図れる。
【００４４】
透過型画像表示部３０をより均一に照明する観点から、透過型画像表示装置２８は、図３に例示するように、面光源装置１０と透過型画像表示部３０との間に、少なくとも一枚の光学シート３２を備えることも好ましい。光学シート３２としては、光を拡散照射する拡散シート又は光を所定の方向に向けるためのレンズシート若しくはプリズムシート（輝度向上シート）が例示できる。
【００４５】
（第２の実施形態）
図４は、本発明に係る面光源装置の他の実施形態の断面構成を模式的に示す図面である。図４に示した面光源装置３４は、面状光生成板１４に代えて面状光生成板３６を採用している点で、面光源装置３４の構成と相違する。
【００４６】
面状光生成板３６は、板本体１８上に光拡散層２０（図１参照）を有しない点で、面状光生成板１４と相違するが、その他の構成は面状光生成板１４と同じである。すなわち、面状光生成板１４は板本体１８を有する。板本体１８の裏面１８ｂには、複数の凹部２２が形成されており、裏面１８ｂ上には、板本体１８内を伝搬する光の一部を表面１８ａ側に反射する層状の反射部２４が設けられている。反射部２４は、光を一部透過しながら反射する半透過半反射の反射ドット２４ａを所定のドットパターンで配置して構成されている。反射ドット２４ａのドットパターンは、面状光生成板１４から出力される面状の光においてｚ方向に直交する面内の輝度分布が略均斉になるように調整されている。
【００４７】
面光源装置３４においても、複数の点状光源１２の各々から出射された光は、板本体１８の対応する凹部２２から板本体１８内に入射する。従って、例えば、凹部が形成されておらず、平らな平面に入射する場合に比べて、光が分散すると共に、隣接する点状光源１２，１２の間に光が伝搬する。板本体１８内に入射した光は、主に表面１８ａ及び裏面１８ｂで全反射しながら板本体１８内を伝搬する。ここで、裏面１８ｂには、複数の反射ドット２４ａを有する反射部２４が設けられているので、反射ドット２４ａによる反射も生じる。この反射は、全反射条件以外の反射であるため、反射ドット２４ａで反射した光は表面１８ａから出射される。よって、凹部２２から板本体１８に入射した光は、全反射により板本体１８内を伝搬しながら、その一部が表面１８ａから出射される。その結果、板本体１８は、板本体１８の表面１８ａから面状の光を出射することになる。
【００４８】
上記構成では、複数の反射ドット２４ａの各々による反射によって光を拡散できる。そのため、反射ドット２４ａのドットパターンを調整することによって、面状光生成板１４の出射光の輝度の均一性を調整可能となっている。反射ドット２４ａは、出射光の輝度が略均一になるように配置されているので、面光源装置３４は、面光源装置１０の場合と同様に、ｚ方向に直交する面内における輝度分布が略均斉な面状の光を出射可能である。更に、凹部２２の内面形状に応じて、凹部２２を介した板本体１８内への光の入射方向が異なることになるので、凹部２２の内面形状を調整することでも、面状光生成板１４の出射光の輝度の均一性を更に高めることができる。
【００４９】
また、面光源装置３４においても、面光源装置１０の場合と同様に、薄型化や光源数の削減を図ることが可能であると共に、ローカルディミング（エリア制御）が可能である。
【００５０】
出射光の輝度の均一性を更に高める観点から、図４に示すように、板本体１８の表面１８ａ上に、光量調整部２６が設けられていることが好ましい。この光量調整部２６により、表面１８ａから出射される光量を調整することができるからである。光量調整部２６は、第１の実施形態と同様に、複数の反射ドット（第２反射ドット）２６ａが所定のドットパターンで配置されたものとすることができる。
【００５１】
面光源装置３４は、面光源装置１０に代えて、透過型画像表示装置２８のバックライトとして適用することができる。面光源装置３４を採用することによっても、輝度が略均一な面状の光で透過型画像表示部３０が照明されることになるので、面光源装置３４を採用した透過型画像表示装置２８は、良質な画像を表示可能である。そして、面光源装置３４においてローカルディミング（エリア制御）が可能であるので、画像のコントラストの向上を図ることができる。また、本実施形態の場合でも、面光源装置３４と透過型画像表示部３０との間に、光学シート３２を少なくとも一枚設けることが好ましい。特に、面状光生成板３６が板本体１８上に光拡散層２０を有しないので、光学シート３２の少なくとも一枚は拡散シートであることが透過型画像表示部３０を均一に照明する観点から好ましい。
【００５２】
以上、本発明に係る面光源装置１０、面状光生成板１４及び透過型画像表示装置２８について説明したが、本発明は上記実施形態に限定されない。例えば、凹部２２は、長方形格子を単位格子とする配置で裏面１８ｂに形成するとしたが、図５に示したように、千鳥格子状に配置してもよい。この場合、点状光源１２の配置も対応した千鳥格子状となる。また、光量調整部２６は、必ずしも設けなくてもよい。更に、反射シート１６も必ずしも設けなくともよく、例えば、透過型画像表示装置２８等において、面光源装置１０，３４を設置するための筐体の底面を鏡面加工とすることもできる。
【００５３】
更に、第１及び第２の実施形態では、反射ドット２４ａ，２６ａとして白インクを例示したが、例えば、反射ドット２４ａとしては、反射ドット２４ａとして機能するように裏面１８ｂに形成された微小な凹凸構造とすることもできる。また、反射部２４は、微小な反射膜を裏面１８ｂ上に分散させたものとすることもできる。反射ドット２６ａも表面１８ａから出射する光量を調整可能なものであればよい。
【００５４】
上記実施形態では、凹部２２の形状は円柱状を例示したが、内面が湾曲しており、裏面側から表面側に向けて先細りした凹レンズ状を呈していてもよい。板本体の材料は透明ガラスとすることもできる。
【符号の説明】
【００５５】
１０…面光源装置、１２…点状光源、１４…面状光生成板、１８…板本体、１８ａ…板本体の表面、１８ｂ…板本体の裏面、２０…光拡散層、２２…凹部、２４…反射部、２４ａ…反射ドット（第１反射ドット）、２６…光量調整部、２６ａ…反射ドット（第２反射ドット）、２８…透過型画像表示装置、３０…透過型画像表示部、３４…面光源装置、３６…面状光生成板。
【図１】
2012004038.tif 000003
【図２】
2012004038.tif 000004
【図３】
2012004038.tif 000005
【図４】
2012004038.tif 000006
【図５】
2012004038.tif 000007